(57)【特許請求の範囲】
【請求項１】
表面にタッチパネルが設けられた筐体と、
前記タッチパネルの周辺に設けられ、一定の撮像範囲を有する撮像部と、
前記タッチパネルがユーザの指が触れたことによる第１の入力操作を検出すると、前記タッチパネル上の操作位置に２本以上の指先のタッチ場所のスライド指示を表示する制御部と、
を備え、
前記制御部は、
前記タッチパネルが前記第１の入力操作の検出後に前記ユーザの指が前記操作位置を触れたことによる第２の入力操作を検出すると、前記タッチパネルに表示された複数のタッチ場所のうち少なくとも１つのタッチ場所に対して前記第２の入力操作が行われていることを条件に、次のタッチを誘導するタッチ場所を前記複数のタッチ場所の全てについて更新し、
前記複数のタッチ場所のうち２つ以上のタッチ場所に対して前記第２の入力操作が同時に行われていることを条件に、撮像開始を判定し、
前記撮像開始を判定すると、前記撮像部を制御して前記一定の撮像範囲内で前記ユーザの手のひらの生体画像を撮像させ、
前記撮像部は、前記撮像開始を判定した状態で前記ユーザの手のひらの少なくとも一部が前記一定の撮像範囲内に収まる前記筐体の表面の位置に配置されていることを特徴とする、生体撮影装置。
【請求項２】
前記制御部は、前記タッチパネルが第２の入力操作を検出すると、前記タッチパネルに前記操作位置の第１のタッチ場所を表示後、前記第１のタッチ場所から場所が変更された第２のタッチ場所を表示させることを特徴とする、請求項１記載の生体撮影装置。
【請求項３】
前記第１のタッチ場所は、前記撮像部の撮像対象が、手首側の手のひらとなる位置に設定され、
前記第２のタッチ場所は、前記撮像部の撮像対象が、指先側の手のひらとなる位置に設定された
ことを特徴とする、請求項２記載の生体撮影装置。
【請求項４】
前記第１のタッチ場所は、前記撮像部の撮像対象が、指先側の手のひらとなる位置に設定され、
前記第２のタッチ場所は、前記撮像部の撮像対象が、手首側の手のひらとなる位置に設定された
ことを特徴とする、請求項２記載の生体撮影装置。
【請求項５】
前記制御部は、
前記タッチパネルが前記ユーザの指が前記第１のタッチ場所に触れたことを検出すると、前記撮像部に第１の生体画像を撮像させ、
前記タッチパネルが前記ユーザの指が前記第２のタッチ場所に触れたことを検出すると、前記撮像部に第２の生体画像を撮像させる
ことを特徴とする、請求項２記載の生体撮影装置。
【請求項６】
コンピュータが、
筐体の表面に設けられたタッチパネルがユーザの指が前記タッチパネルに触れたことによる第１の入力操作を検出すると、前記タッチパネル上の操作位置に２本以上の指先のタッチ場所のスライド指示を表示させ、
前記タッチパネルが前記第１の入力操作の検出後に前記ユーザの指が前記操作位置を触れたことによる第２の入力操作を検出すると、前記タッチパネルに表示された複数のタッチ場所のうち少なくとも１つのタッチ場所に対して前記第２の入力操作が行われていることを条件に、次のタッチを誘導するタッチ場所を前記複数のタッチ場所の全てについて更新し、
前記複数のタッチ場所のうち２つ以上のタッチ場所に対して前記第２の入力操作が同時に行われていることを条件に、撮像開始を判定し、
前記撮像開始を判定すると、前記撮像開始を判定した状態で前記ユーザの手のひらの少なくとも一部が一定の撮像範囲内に収まる、前記筐体の前記タッチパネルの周囲の位置に配置された撮像部を制御して、前記一定の撮像範囲内で前記ユーザの手のひらの生体画像を撮像させる、
ことを特徴とする、生体撮影方法。
【請求項７】
前記コンピュータがさらに、
前記タッチパネルが前記第２の入力操作を検出すると、前記タッチパネルに前記操作位置の第１のタッチ場所の表示をさせ、
前記タッチパネルに前記第１のタッチ場所を表示後、前記第１のタッチ場所から場所が変更された第２のタッチ場所を表示させ、
前記タッチパネルが前記ユーザの指が前記第１のタッチ場所に触れたことを検出すると、前記撮像部に第１の生体画像を撮像させ、
前記タッチパネルが前記ユーザの指が前記第２のタッチ場所に触れたことを検出すると、前記撮像部に第２の生体画像を撮像させる、
ことを特徴とする、請求項６記載の生体撮影方法。
【請求項８】
筐体の表面に設けられたタッチパネルがユーザの指が前記タッチパネルに触れたことによる第１の入力操作を検出すると、前記タッチパネル上の操作位置に２本以上の指先のタッチ場所のスライド指示を表示し、
前記タッチパネルが前記第１の入力操作の検出後に前記ユーザの指が前記操作位置を触れたことによる第２の入力操作を検出すると、前記タッチパネルに表示された複数のタッチ場所のうち少なくとも１つのタッチ場所に対して前記第２の入力操作が行われていることを条件に、次のタッチを誘導するタッチ場所を前記複数のタッチ場所の全てについて更新し、
前記複数のタッチ場所のうち２つ以上のタッチ場所に対して前記第２の入力操作が同時に行われていることを条件に、撮像開始を判定し、
前記撮像開始を判定すると、前記撮像開始を判定した状態で前記ユーザの手のひらの少なくとも一部が一定の撮像範囲内に収まる、前記筐体の前記タッチパネルの周囲の位置に配置された撮像部を制御して、前記一定の撮像範囲内で前記ユーザの手のひらの生体画像を撮像する、
処理をコンピュータに実行させることを特徴とする、生体撮影プログラム。
【請求項９】
前記タッチパネルが前記第２の入力操作を検出すると、前記タッチパネルに前記操作位置の第１のタッチ場所の表示し、
前記タッチパネルに前記第１のタッチ場所を表示後、前記第１のタッチ場所から場所が変更された第２のタッチ場所を表示し、
前記タッチパネルがユーザの指が前記第１のタッチ場所に触れたことを検出すると、前記撮像部を制御して第１の生体画像を撮像し、
前記タッチパネルが前記ユーザの指が前記第２のタッチ場所に触れたことを検出すると、前記撮像部を制御して第２の生体画像を撮像する、
処理をコンピュータにさらに実行させることを特徴とする、請求項８記載の生体撮影プログラム。
【発明の詳細な説明】
【技術分野】
【０００１】
本発明は、生体撮影装置、生体撮影方法及び生体撮影プログラムに関する。
【背景技術】
【０００２】
近年、携帯電話などの携帯端末の中には、生体認証機能を備えた携帯端末がある。生体認証機能を備えた携帯端末は、例えば携帯端末に設けられたカメラで生体を撮影する。しかし、カメラの大きさ、性能などの仕様によっては、生体認証に用いる生体部位の一部しか撮影できない場合がある。例えば、生体認証機能を備えたスマートフォンなどの小型の携帯端末の場合、生体部位を撮影するカメラの大きさが制限され、一度に撮影可能な生体部位の範囲が狭いので、生体認証に用いる生体部位の全体を一度に撮影することは困難である。
【０００３】
生体部位の一部の撮影画像だけを用いた生体認証では、高い認証精度を得ることは難しい。例えば、生体認証の一例である手のひらの静脈を用いた手のひら認証の場合、手のひらの一部の撮影画像だけを用いた手のひら認証では、手のひら全体の撮影画像を用いた生体認証と比べると、認証精度が低下する。
【０００４】
例えば、生体認証の他の例である指紋認証では、指紋認証に用いる生体部位を複数回撮影し、できるだけ多くの撮影画像に基づいて指紋認証を行うことが提案されている（例えば、特許文献１，２）。しかし、このような指紋認証の場合、撮影された指紋画像が照合される登録テンプレートのうち、指紋認証に用いる領域を適切に特定することは難しい。また、指紋などの生体部位を複数回撮影する場合、携帯端末の利用者の癖などにより撮影される生体部位の部分に偏りが生じる可能性があり、生体認証に適した生体部位を効率良く撮影することは困難である。このため、生体部位を複数回撮影しても、高い認証精度を得ることは難しい。
【０００５】
一方、携帯端末のカメラで生体部位を撮影する場合、撮影範囲は携帯端末の利用者の操作に依存する。利用者が手で携帯端末を保持した状態で生体部位を撮影する場合も、例えば携帯端末を机の上に置いた状態で利用者が指紋などの生体部位をカメラに近づける場合も、撮影される生体部位の範囲は毎回異なってしまう。
【０００６】
このため、撮影した際の撮影範囲が生体認証に適した生体部位を十分捉えていないなどの理由で生体認証に失敗した場合、生体部位を撮影し直す必要がある（例えば、特許文献３，４）。携帯端末は、生体認証が失敗して生体部位を撮影し直す必要がある場合には、利用者に再度撮影操作を行うよう促すことができるが、利用者側では再度撮影する際にどのような撮影範囲を撮影すれば良いかを判断することは難しい。この結果、生体認証が失敗した場合に生体部位を撮影し直す回数は、利用者の撮影操作に依存するため安定しない。利用者が生体部位を撮影し直す回数が増加する程、携帯端末の利便性が損なわれる。また、利用者が生体部位を撮影し直す回数が増加しても、生体認証が成功する確率が向上することはあっても、認証精度が向上する保証はない。
【先行技術文献】
【特許文献】
【０００７】
【特許文献１】国際公開ＷＯ２００４／０９７７４１号公報
【特許文献２】特開２００２−０２４８３１号公報
【特許文献３】特開２００３−０８５５４０号公報
【特許文献４】特開２００７−１２２１６４号公報
【特許文献５】特開２００５−３１２７４９号公報
【特許文献６】特開２００６−３３１２３９号公報
【発明の概要】
【発明が解決しようとする課題】
【０００８】
従来の生体認証機能を備えた携帯端末では、生体認証の精度を向上することは難しい。
【０００９】
そこで、１つの側面では、生体認証の精度を向上可能な生体撮影装置、生体撮影方法及び生体撮影プログラムを提供することを目的とする。
【課題を解決するための手段】
【００１０】
１つの案によれば、表面にタッチパネルが設けられた筐体と、前記タッチパネルの周辺に設けられ、一定の撮像範囲を有する撮像部と、前記タッチパネルがユーザの指が触れたことによる第１の入力操作を検出すると、前記タッチパネル上の操作位置に２本以上の指先のタッチ場所のスライド指示を表示する制御部と、を備え、前記制御部は、前記タッチパネルが前記第１の入力操作の検出後に前記ユーザの指が前記操作位置を触れたことによる第２の入力操作を検出すると、前記タッチパネルに表示された複数のタッチ場所のうち少なくとも１つのタッチ場所に対して前記第２の入力操作が行われていることを条件に、次のタッチを誘導するタッチ場所を前記複数のタッチ場所の全てについて更新し、前記複数のタッチ場所のうち２つ以上のタッチ場所に対して前記第２の入力操作が同時に行われていることを条件に、撮像開始を判定し、前記撮像開始を判定すると、前記撮像部を制御して前記一定の撮像範囲内で前記ユーザの手のひらの生体画像を撮像させ、前記撮像部は、前記撮像開始を判定した状態で前記ユーザの手のひらの少なくとも一部が前記一定の撮像範囲内に収まる前記筐体の表面の位置に配置されている生体撮影装置が提供される。
【発明の効果】
【００１１】
一態様によれば、生体認証の精度を向上できる。
【図面の簡単な説明】
【００１２】
【図１】一実施例における端末装置のハードウェア構成の一例を示すブロック図である。
【図２】一実施例における生体認証装置の構成の一例を示す機能ブロック図である。
【図３】一実施例における端末装置の操作の一例を説明する図である。
【図４】撮像範囲の拡大の一例を説明する図である。
【図５】撮像範囲の拡大の他の例を説明する図である。
【図６】タッチパネル上に表示するタッチ場所の一例を示す図である。
【図７】利用者が指先でＺ字状のタッチ場所をなぞった場合の撮像範囲を説明する図である。
【図８】端末装置の入力待ち受け状態の表示の一例を示す図である。
【図９】一実施例における生体撮影処理の一例を説明するフローチャートである。
【図１０】タッチ場所の第１の例を説明する図である。
【図１１】タッチ場所の第２の例を説明する図である。
【図１２】タッチ場所の第３の例を説明する図である。
【図１３】タッチ場所の第４の例を説明する図である。
【図１４】タッチ場所の第５の例を説明する図である。
【図１５】タッチ場所の第６の例を説明する図である。
【図１６】タッチ場所の第７の例を説明する図である。
【図１７】タッチ場所の第８の例を説明する図である。
【図１８】タッチ場所の第９の例を説明する図である。
【図１９】タッチ場所の第１０の例を説明する図である。
【図２０】図１９に示す端末装置の操作状態を説明する図である。
【図２１】図１９に示す端末装置の操作の一例を説明する図である。
【発明を実施するための形態】
【００１３】
開示の生体撮影装置、生体撮影方法及び生体撮影プログラムでは、操作部への入力の検出に応じて、操作部における操作位置の指示を出力させ、前記入力の検出後に生体撮像部により生体画像を撮像する。
【００１４】
以下に、開示の生体撮影装置、生体撮影方法及び生体撮影プログラムの各実施例を図面と共に説明する。
【実施例】
【００１５】
生体認証技術は、指紋、顔、手のひら、虹彩、静脈などの個人毎に異なる特徴的な生体情報を用いて本人確認を行う。例えば、手のひら認証は、掌紋、掌形、手のひら静脈などの生体情報を用いて生体認証を行う。以下の説明では、手のひら認証を例に説明するが、生体認証は手のひら認証に限定されるものではない。
【００１６】
一実施例において、以下に説明する生体撮影装置及び生体認証装置は、端末装置に搭載可能である。端末装置は、携帯端末であっても良い。従って、端末装置には、パーソナルコンピュータ、タブレット、スマートフォンなどが含まれる。また、生体撮影装置は、生体認証装置に含まれていても良い。
【００１７】
図１は、一実施例における端末装置のハードウェア構成の一例を示すブロック図である。この例では、端末装置１は、タブレット、スマートフォンなどの携帯端末である。端末装置１は、図１に示す如く接続されたＣＰＵ（Central Processing Unit）１１、ＲＯＭ（Read Only Memory）１２、ＲＡＭ（Random Access Memory）１３、入力デバイス１４、表示デバイス１５、及びセンサ部１６を有する。端末装置１が通信機能を有する場合には、送受信を行う周知の通信部（図示せず）をさらに有しても良い。また、端末装置１がインターネットなどの外部のネットワーク（図示せず）と接続する機能を有する場合には、周知のインタフェース（図示せず）をさらに有しても良い。
【００１８】
ＣＰＵ１１は、端末装置１全体の制御を司る制御部（または、コンピュータ）の一例である。従って、制御部は、生体撮影装置及び生体認証装置の制御をも司る。ＲＯＭ１２及びＲＡＭ１３は、記憶部の一例である記憶装置２１を形成しても良い。入力デバイス１４及び表示デバイス１５は、操作部の一例である。この例では、入力デバイス１４及び表示デバイス１５は、タッチパネル２２に含まれる。センサ部１６は、生体撮像部の一例である。
【００１９】
ＣＰＵ１１は、ＲＯＭ１２に格納された生体撮影プログラムを含むコンピュータプログラムを実行することにより、生体撮影装置及び生体認証装置を含む端末装置１の種々の機能を実現できる。ＲＯＭ１２は、ＣＰＵ１１が実行するコンピュータプログラム、各種データなどを格納する。ＲＯＭ１２は、プログラムを格納したコンピュータ読み取り可能な記憶媒体の一例である。ＲＡＭ１３は、各種データの他に登録テンプレートを格納する。
【００２０】
入力デバイス１４は、利用者が指で操作のために触れた（以下、「タッチした」とも言う）入力デバイス１４上の位置に基づいた電気信号をデジタル情報に変換してＣＰＵ１１に入力する機能を有し、利用者がタッチした位置の座標、利用者がタッチした位置が表す文字などの情報をＣＰＵ１１に入力する機能も有する。つまり、入力デバイス１４（または、タッチパネル２２）は、操作部の一例であるタッチパネル２２への入力を検出する検出部の一例である。表示デバイス１５は、文字、図、メッセージなどに加え、後述するように、利用者の指先の現在位置を含む入力デバイス１４上の入力位置、移動方向、操作位置を含むタッチ場所、タッチ場所の移動指示などを表示する機能を有する。
【００２１】
センサ部１６は、接触式あるいは非接触式で生体の部位を撮像する機能を有する。センサ部１６は、接触式であっても、非接触式であっても良い。センサ部１６が接触式の場合、入力デバイス１４と、表示デバイス１５と、センサ部１６とが一体となった指紋センサ内蔵タッチパネルを利用しても良い。一方、センサ部１６が非接触式の場合、少なくともカメラを含み、生体照明光源を含んでも良い。この例では、センサ部１６は、端末装置１のタッチパネル２２と同じ表面の、タッチパネル２２の周辺の位置に取り付けられている。
【００２２】
センサ部１６は、例えば手のひらの掌紋や掌形、顔などを撮像するカメラで形成可能である。また、センサ部１６は、例えば手のひらの静脈、指の静脈、虹彩などを撮像する近赤外波長領域に感度を持つイメージセンサ（または、カメラ）と近赤外光照明光源とを含む近赤外センサ（または、近赤外カメラ）で形成可能である。また、センサ部１６は、近赤外波長領域以外の波長領域に感度を持つカメラと、近赤外センサとの両方を含んでも良い。
【００２３】
この例では、タッチパネル２２が入力デバイス１４と表示デバイス１５の機能を兼ね備えているが、操作部はタッチパネル２２に限定されず、トラックパッド、キーボード、デジタイザなどの装置を用いても良い。
【００２４】
図２は、一実施例における生体認証装置の構成の一例を示す機能ブロック図である。図２に示す生体認証装置３１は、生体撮像部３２、特徴抽出部３３、照合部３４、記憶部３５、及び判定部３６を有する。生体撮像部３２は、例えば図１のセンサ部１６で形成可能である。特徴抽出部３３、照合部３４、及び判定部３６は、例えば図１のＣＰＵ１１により形成可能であり、例えばＣＰＵ１１が形成する制御部に含まれても良い。記憶部３５は、例えば図１の記憶装置２１により形成可能である。
【００２５】
生体認証装置３１が実行する生体認証処理では、予め記憶部３５に登録されている特徴情報と、本人確認時に生体撮像部３２が撮像した利用者の生体画像情報から特徴抽出部３３が抽出した特徴情報とを、照合部３４で比較照合する。判定部３６は、照合部３４での比較照合の結果が所定の閾値の範囲内で一致するか否かを判定して本人確認結果を出力する。判定部３６は、照合部３４での比較照合の結果が一致すれば生体認証が成功したと判定し、利用者が本人であることを表す本人確認結果を出力する。
【００２６】
予め登録されている特徴情報は、例えば登録テンプレートと呼ばれる場合がある。登録テンプレートの登録処理では、上記生体認証処理の場合と同様に、生体撮像部３２が撮像した利用者の生体画像情報から特徴抽出部３３が特徴情報を抽出する。そして、登録テンプレートは、このように抽出した特徴情報を記憶部３５に供給することで登録される。なお、記憶部３５に登録される登録テンプレートは、特徴情報に処理を施されたものであっても良い。
【００２７】
記憶部３５は、図２の例では生体認証装置３１内に設けられているが、記憶部３５の記憶内容の一部または全部が生体認証装置３１外の記憶部に記憶されていても良い。例えば、記憶部３５の一例であるＨＤＤ（Hard Disk Drive）、フラッシュメモリなどが、ＵＳＢ（Universal Serial Bus）などのインタフェースを介して生体認証装置３１に外部接続されていても良い。また、記憶部３５は、生体認証装置３１とネットワーク（図示せず）を介して接続可能なデータベースを形成しても良い。
【００２８】
図３は、一実施例における端末装置の操作の一例を説明する図である。図３中、（ａ）は利用者１００により操作される端末装置１の平面図を示し、（ｂ）は利用者１００により操作される端末装置１の側面図を示す。この例では、端末装置１は、平面図上で大略長方形を有する筐体１Ａの上面にタッチパネル２２が設けられ、タッチパネル２２の周辺の位置の一例である下側の位置に、センサ部１６が設けられている。つまり、利用者１００が指先で縦長の姿勢にある端末装置１を操作する場合、指先でタッチパネル２２上の入力位置にタッチする際に、利用者１００の手のひら１００Ａを撮像できる、タッチパネル２２と同じ筐体１Ａの上面の位置にセンサ部１６が配置されている。センサ部１６により撮像される手のひら１００Ａの撮像範囲１６Ａは、図３（ａ）中破線で囲んで示すように、センサ部１６のカメラの画角、センサ部１６と手のひら１００Ａとの間の距離などに応じて決まる。このため、センサ部１６の撮像範囲１６Ａは、手のひら１００Ａの一部分に相当する。
【００２９】
なお、図３に示す例では、タッチパネル２２の周辺位置には、センサ部１６に加え、別のセンサ部（または、カメラ）１６１と、入力デバイス１４の一例であるマイクロホン１４１とが設けられている。別のセンサ部１６１及びマイクロホン１４１は、この例では筐体１Ａの上面の上側の位置、即ち、センサ部１６とは異なる位置に設けられている。なお、別のセンサ部１６１及びマイクロホン１４１のうち少なくとも一方は、筐体１Ａの上面のセンサ部１６と同じ側（例えば、下側）の位置に設けられていても良い。
【００３０】
図４は、撮像範囲の拡大の一例を説明する図である。図４中、（ａ）はタッチパネル２２上の入力範囲２２１とセンサ部１６の撮像範囲１６Ａの関係を示す平面図であり、（ｂ）はタッチパネル２２上の入力位置に応じた撮像範囲１６Ａの変化を示す平面図である。利用者１００が指先で図４（ａ）に示すタッチパネル２２上の太い実線で示す入力範囲２２１内の中心位置をタッチすると、センサ部１６の撮像範囲１６Ａは太い実線で示す拡大撮像範囲１６Ｂ内の領域を撮像する。この例では、センサ部１６の撮像範囲１６Ａは高さＶ０及び幅Ｈ０を有する長方形を有するが、撮像範囲１６Ａは例えば正方形であっても良い。
【００３１】
利用者１００が指先のタッチ位置を入力範囲２２１内の中心位置から例えば上下左右へ移動させることで、センサ部１６の撮像範囲１６Ａは高さＶ及び幅Ｈの拡大撮像範囲１６Ｂ内で手のひら１００Ａを撮像可能である。筐体１Ａ上のタッチパネル２２とセンサ部１６の配置（即ち、タッチパネル２２に対するセンサ部１６の位置）は既知であるため、センサ部１６と手のひら１００Ａとの間の距離が略一定であれば、利用者１００が指先でタッチしているタッチパネル２２上の位置からセンサ部１６の撮像範囲１６Ａ内となる手のひら１００Ａの領域が決まる。
【００３２】
このため、図４（ｂ）に示すように、利用者１００が指先をタッチパネル２２上の入力範囲２２１内の中心位置に対して高さ方向に沿って距離Ｖ１だけ上方向へ移動すると、センサ部１６の撮像範囲１６Ａは高さ方向に沿って距離Ｖ１だけ下方向へ拡大する。同様にして、利用者１００が指先をタッチパネル２２上の入力範囲２２１内の中心位置に対して高さ方向に沿って距離Ｖ２だけ下方向へ移動すると、センサ部１６の撮像範囲１６Ａは高さ方向に沿って距離Ｖ２だけ上方向へ拡大する。さらに、利用者１００が指先をタッチパネル２２上の入力範囲２２１内の中心位置に対して幅方向に沿って距離Ｈ１だけ左方向へ移動すると、センサ部１６の撮像範囲１６Ａは幅方向に沿って距離Ｈ１だけ右方向へ拡大する。利用者１００が指先をタッチパネル２２上の入力範囲２２１内の中心位置に対して幅方向に沿って距離Ｈ２だけ右方向へ移動すると、センサ部１６の撮像範囲１６Ａは幅方向に沿って距離Ｈ２だけ左方向へ拡大する。従って、利用者１００が指先のタッチ位置をタッチパネル２２上の入力範囲２２１内の中心位置に対して上下左右に移動することで、センサ部１６の撮像範囲１６Ａは最大で高さＶ０＋Ｖ１＋Ｖ２及び幅Ｈ０＋Ｈ１＋Ｈ２を有する四辺形の拡大撮像範囲１６Ｂまで拡大できる。
【００３３】
図５は、撮像範囲の拡大の他の例を説明する図である。図５は、説明の便宜上、タッチパネル２２上の入力範囲２２１のみを示す。
【００３４】
一般的に、利用者１００が指先でタッチパネル２２上の入力位置をタッチする場合、利用者１００が目で見ているタッチパネル２２上の入力位置と、利用者１００の指先が実際にタッチするタッチパネル２２上のタッチ位置とでは、オフセットが生じる。そこで、高さ方向のオフセットＶｆ及び幅方向のオフセットＨｆを考慮してタッチパネル２２上の入力範囲２２１の高さをＶ１＋Ｖ２＋Ｖｆに設定し、幅をＨ１＋Ｈ２＋Ｈｆに設定することで、センサ部１６の撮像範囲１６Ａを最大で高さＶ０＋Ｖ１＋Ｖ２＋Ｖｆ及び幅Ｈ０＋Ｈ１＋Ｈ２＋Ｈｆを有する四辺形の拡大撮像範囲１６Ｂまで拡大できる。
【００３５】
さらに、利用者１００がタッチパネル２２上の操作に熟練した場合などには、利用者１００が指先でタッチパネル２２上に表示された入力範囲２２１内をタッチする際にタッチ位置が入力範囲２２１の内側に入ると想定される。そこで、入力範囲２２１の外周縁と、利用者１００の指先が実際にタッチするタッチパネル２２上の入力範囲２２１内のタッチ位置との間の高さ方向のマージンＶｍ及び幅方向のマージンＨｍを考慮して、タッチパネル２２上の入力範囲２２１の高さをＶ１＋Ｖ２＋Ｖｍに設定し、幅をＨ１＋Ｈ２＋Ｈｍに設定することで、センサ部１６の撮像範囲１６Ａを最大で高さＶ０＋Ｖ１＋Ｖ２＋Ｖｍ及び幅Ｈ０＋Ｈ１＋Ｈ２＋Ｈｍを有する四辺形の拡大撮像範囲１６Ｂまで拡大できる。
【００３６】
図５は、高さ方向のオフセットＶｆ及び幅方向のオフセットＨｆと、高さ方向のマージンＶｍ及び幅方向のマージンＨｍとの両方を考慮した場合のタッチパネル２２上の入力範囲２２１を示す。この場合、太い実線で囲んで示すように、入力範囲２２１の高さはＶ１＋Ｖ２＋Ｖｍ＋Ｖｆに設定され、幅はＨ１＋Ｈ２＋Ｈｍ＋Ｈｆに設定されている。なお、図５中、太い破線で囲まれた範囲２２１Ａは、入力範囲２２１を提示することによって、利用者１００が指先でタッチパネル２２上をタッチする際に期待されるタッチ位置の最小の範囲を示す。つまり、マージンＶｍとＨｍないしオフセットＶｆとＨｆを加えて入力範囲２２１を設定することで、少なくとも高さＶ０＋Ｖ１＋Ｖ２及び幅Ｈ０＋Ｈ１＋Ｈ２の拡大撮像範囲１６Ｂを撮像できる。
【００３７】
次に、タッチパネル上に表示するタッチ場所の一例を、図６と共に説明する。図６は、タッチパネル上に表示するタッチ場所の一例を示す図である。タッチパネル２２上のタッチ場所の表示は、制御部の一例であるＣＰＵ１１により制御可能である。
【００３８】
図６中、（ａ）は範囲２２１Ａに対してＺ字状のタッチ場所２２２をタッチパネル２２上に表示する例、（ｂ）は範囲２２１Ａに対して略矩形状のタッチ場所２２３をタッチパネル２２上に表示する例、（ｃ）は範囲２２１Ａに対して略円形状のタッチ場所２２４をタッチパネル２２上に表示する例を示す。図６において、薄いハッチングが施された部分は、表示されたタッチ場所２２２，２２３，２２４を示し、濃いハッチングが施された部分は、利用者１００が指先でタッチ済み、即ち、入力済みのタッチ場所を示し、白抜きの矢印は、利用者１００の指先の現在の入力位置と移動方向を示す。タッチ場所２２２，２２３，２２４は、操作部における操作位置の指示の一例であり、タッチ場所の移動指示の一例であっても良い。つまり、操作部上の操作位置は、利用者１００に操作を誘導する指示（または、案内）である。また、操作部上のタッチ場所は、利用者１００に操作位置を含む移動ルートなどのタッチ場所の移動指示（または、移動案内）をするものである。
【００３９】
従って、図６に示す例では、タッチパネル２２上で、各タッチ場所２２２，２２３，２２４のうち、濃いハッチングが施された部分は第１の入力が検出された入力済みの操作位置を示し、白抜きの矢印は入力方向を示し、白抜きの矢印の先の薄いハッチングが施された部分は利用者１００に第２の入力を指示する操作位置を示す。この例では、各タッチ場所２２２，２２３，２２４は、利用者１００の指先でタッチされる前の状態では、薄いハッチングが施された部分により利用者１００に入力を指示する操作位置の全ての範囲を表示する。このため、利用者１００が、指先でタッチ場所２２２，２２３，２２４のいずれかをなぞるようにタッチしてスライドさせる（以下、「スライド指示を行う」とも言う）と、タッチパネル２２上に表示され薄いハッチングが施された入力を指示する操作位置のうち、なぞられた操作位置が濃いハッチングが施された入力済みの操作位置に順次変わる。また、利用者１００は、指先でタッチ場所２２２，２２３，２２４のいずれかに対してスライド指示を行うことで、タッチパネル２２上で操作している利用者１００の手のひら１００Ａに対するセンサ部１６の撮像範囲１６Ａが拡大撮像範囲１６Ｂに拡大される。
【００４０】
なお、各タッチ場所２２２，２２３，２２４は、利用者１００の指先でタッチされる前の状態では、薄いハッチングが施された部分により利用者１００に第１の入力を指示する操作位置のみを表示するようにしても良い。この場合、利用者１００が、指先でタッチ場所２２２，２２３，２２４のいずれかの第１の入力を指示する操作位置をタッチすると、タッチされた操作位置が濃いハッチングが施された入力済みの操作位置に変わり、薄いハッチングを施された部分により利用者１００に第２の入力を指示する操作位置が表示される。同様にして、利用者１００が、指先でタッチ場所２２２，２２３，２２４のいずれかの第２の入力を指示する操作位置をタッチすると、タッチされた操作位置が濃いハッチングが施された入力済みの操作位置に変わり、薄いハッチングを施された部分により利用者１００に第３の入力を指示する操作位置が表示される。このように、タッチパネル２２に第１のタッチ場所の表示後、第１のタッチ場所から場所が変更された第２のタッチ場所を表示しても良い。
【００４１】
図７は、利用者が指先でＺ字状のタッチ場所をなぞった場合の撮像範囲を説明する図である。図７中、（ａ）は、利用者１００が指先で図６（ａ）に示すＺ字状のタッチ場所２２２の上側部分を左側から右側へなぞった場合に、センサ部１６が矢印方向に撮像する拡大撮像範囲１６Ｂにおける撮像範囲１６２を示す。図７中、（ｂ）は、利用者１００が指先で図６（ａ）に示すＺ字状のタッチ場所２２２の上側の右側部分から下側の左側部分へなぞった場合に、センサ部１６が矢印方向に撮像する拡大撮像範囲１６Ｂにおける撮像範囲１６３を示す。図７中、（ｃ）は、利用者１００が指先で図６（ａ）に示すＺ字状のタッチ場所２２２の下側部分を左側から右側へなぞった場合に、センサ部１６が矢印方向に撮像する拡大撮像範囲１６Ｂにおける撮像範囲１６４を示す。
【００４２】
このように、センサ部１６は、利用者１００が指先でタッチパネル２２上のタッチ場所に対してスライド指示を行うのに伴い、利用者１００の手のひら１００Ａに対する撮像範囲１６Ａを拡大撮像範囲１６Ｂへ拡大して、手のひら１００Ａを撮像範囲１６Ａより大きな拡大撮像範囲１６Ｂで撮像する。
【００４３】
図８は、端末装置の入力待ち受け状態の表示の一例を示す図である。図８中、図６と同一部分には同一符号を付し、その説明は省略する。図８（ａ）は、端末装置１の入力待ち受け状態において、図６（ａ）のように範囲２２１Ａに対してＺ字状のタッチ場所２２２をタッチパネル２２上に表示する場合を示す。同様に、図８（ｂ）は、端末装置１の入力待ち受け状態において、図６（ｂ）のように範囲２２１Ａに対して略矩形状のタッチ場所２２３をタッチパネル２２上に表示する場合を示す。また、図８（ｃ）は、端末装置１の入力待ち受け状態において、図６（ｃ）のように範囲２２１Ａに対して略円形状のタッチ場所２２４をタッチパネル２２上に表示する場合を示す。端末装置１の入力待ち受け状態では、少なくとも第１の入力を指示する操作位置と入力方向（または、移動方向）を表示し、利用者１００が指先で第１の入力を指示する操作位置をタッチすると、少なくとも第２の入力を指示する操作位置を表示する。図８に示す例では、第１及び第２の入力を指示する操作位置を含む、入力を指示する操作位置の全ての範囲と入力方向とを表示している。図８の例では、入力方向を白抜きの矢印で示すが、実際の表示はこのような矢印に限定されない。
【００４４】
タッチパネル２２に表示されるタッチ場所２２２，２２３，２２４などの移動指示は、直線状、Ｚ字状、略矩形状、円形及び楕円形を含む略円形状、及び略三角形状のうち少なくとも１つであっても良い。
【００４５】
次に、一実施例における生体撮影処理の一例を、図９と共に説明する。図９は、一実施例における生体撮影処理の一例を説明するフローチャートである。図９に示す生体撮影処理は、制御部により実行可能であり、例えば図１に示すＣＰＵ１１が生体撮影プログラムを実行することで実現できる。
【００４６】
図９において、ステップＳ１では、制御部が、検出部により検出された、利用者１００が指先でタッチしたタッチパネル２２上の入力位置を描画する。ステップＳ２では、制御部が、検出部により検出された、タッチパネル２２上の全ての入力位置を描画したか否かを判定する。ステップＳ２の判定結果がＮＯであると、制御部の処理はステップＳ１戻る。一方、ステップＳ２の判定結果がＹＥＳであると、ステップＳ３では、制御部が、検出部により検出された、タッチパネル２２上の入力位置に応じて、タッチパネル２２上に操作位置の一例である入力位置の候補を描画して表示する。
【００４７】
つまり、ステップＳ３において、制御部は、検出部による第１の入力の検出に応じて、操作部における操作位置の指示を出力させる。制御部は、検出した第１の入力の位置に応じて操作位置を設定しても良く、制御部は、例えば記憶部に記憶した位置に操作位置を設定しても良い。
【００４８】
ステップＳ４では、制御部がタッチパネル２２上の操作位置の一例である入力位置の候補に入力があるか否か、即ち、利用者１００が指先でタッチした入力位置の候補があるか否かを判定する。制御部は、ステップＳ４の判定結果がＹＥＳになるまで判定を繰り返す。ステップＳ４の判定結果がＹＥＳであると、ステップＳ５では、制御部がタッチパネル２２上で入力位置の候補へ入力済みであること、即ち、利用者１００が指先で入力位置の候補をタッチ済みであることを識別可能に描画して表示する。例えば図６のようなタッチ場所２２２，２２３，２２４を表示する場合であれば、タッチ済みの入力位置の候補が濃いハッチングで示されるように表示される。
【００４９】
ステップＳ５において、制御部は、タッチパネル２２上にタッチ済みの第１のタッチ場所を表示した後、第１のタッチ場所から場所が変更された第２のタッチ場所を表示させても良い。例えば図６のようなタッチ場所２２２，２２３，２２４を表示する場合であれば、タッチ済みの入力位置の候補が濃いハッチングで示されるように表示された後、次の入力位置の候補が薄いハッチングで示されるように表示される。第１のタッチ場所は、生体撮像部の撮像対象が、利用者１００の手首側の手のひら１００Ａとなる位置に設定され、第２のタッチ場所は、生体撮像部の撮像対象が、利用者１００の指先側の手のひら１００Ａとなる位置に設定されても良い。この場合、利用者１００の指先の移動方向は、例えば図３において下方向であっても良い。また、第１のタッチ場所は、生体撮像部の撮像対象が、利用者１００の指先側の手のひら１００Ａとなる位置に設定され、第２のタッチ場所は、生体撮像部の撮像対象が、利用者１００の手首側の手のひら１００Ａとなる位置に設定されても良い。この後者の場合、利用者１００の指先の移動方向は、例えば図３において上方向であっても良い。
【００５０】
また、ステップＳ５において、制御部は、タッチパネル２２に移動ルートの表示などの、タッチ場所の移動指示の表示をさせても良い。移動指示は、例えば２本以上の指先のスライド指示であっても良い。さらに、移動指示は、例えば直線状、Ｚ字状、略矩形状、円形及び楕円形を含む略円形状、及び略三角形状のうち、少なくとも１つであっても良い。
【００５１】
ステップＳ６では、センサ部１６を制御して生体の一例である利用者１００の手のひら１００Ａの撮像を開始する。撮像の開始とは、センサ部１６から入力された利用者の生体画像情報を記憶部に記憶を開始するように構成しても良い。また、記憶部への記憶を開始するまでに遅延ΔＴｄがある場合には、リングバッファを構成するなどしてタイムスタンプＴと共にステップＳ１以前、或いは、ステップＳ３以前から記憶部へ生体画像情報の記憶を開始させ、ステップＳ６でのタイムスタンプＴｓに基づいてＴｓ'≦Ｔｓ−ΔＴｄを満たす最も大きいタイムスタンプＴｓ'ｍａｘ以降に撮影された生体画像情報を記憶部に記憶するように構成しても良い。
【００５２】
ステップＳ７では、制御部がタッチパネル２２上の入力位置の候補に入力があるか否か、即ち、利用者１００が指先でタッチした入力位置の候補があるか否かを判定する。制御部は、ステップＳ７の判定結果がＹＥＳになるまで判定を繰り返す。
【００５３】
ステップＳ７の判定結果がＹＥＳであると、ステップＳ８では、制御部がタッチパネル２２上で入力位置の候補へ入力済みであること、即ち、利用者１００が指先で入力位置の候補をタッチ済みであることを、上記のステップＳ５の場合と同様に、識別可能に描画して表示する。
【００５４】
ステップＳ８において、制御部は、タッチパネル２２上にタッチ済みの第１のタッチ場所を表示した後、第１のタッチ場所から場所が変更された第２のタッチ場所を表示させても良い。また、ステップＳ８において、制御部は、タッチパネル２２上に移動ルートの表示などの、タッチ場所の移動指示の表示をさせても良い。
【００５５】
ステップＳ９では、制御部はタッチパネル２２上でタッチ場所の一例である入力位置の候補が全て入力済みであるか否かを判定する。ステップＳ９の判定結果がＮＯであると、制御部の処理はステップＳ７へ戻る。一方、ステップＳ９の判定結果がＹＥＳであると、ステップＳ１０では、制御部がセンサ部１６を制御して生体の一例である利用者１００の手のひら１００Ａの撮像を完了し、処理は終了する。
【００５６】
制御部は、撮像範囲に対する生体情報の信頼度に基づいて、生体撮像の完了を判定しても良い。例えば、入力済みの入力位置のタッチパネル２２上の位置に基づいて、撮像範囲の面積を利用して生体情報の信頼度を算出しても良い。具体的には、最大の撮像範囲に対して撮像された撮像範囲が占める割合を、生体情報の信頼度としても良い。
【００５７】
（タッチ場所の第１の例）
図１０は、タッチ場所の第１の例を説明する図である。図１０中、（ａ）は利用者１００により操作される端末装置１の平面図を示し、（ｂ）は利用者１００により操作される端末装置１の側面図を示す。図１０中、図３と同一部分には同一符号を付し、その説明は省略する。図１０に示す例では、タッチパネル２２上に、直線状のタッチ場所２２５を２本以上表示する。この例では、縦方向に延びるタッチ場所２２５が３本表示される。利用者１００は、指先（この例では人差し指、中指、及び薬指）で３本のタッチ場所２２５を同時になぞり、センサ部１６はその間撮像範囲１６Ａ内で手のひら１００Ａを撮像する。利用者１００が複数の指先でタッチ場所２２５に対して同時にスライド指示を行う場合、複数の指先がタッチパネル２２上を同時にスライドする間、手のひら１００Ａのタッチパネル２２に対する角度は安定しており大きく変化することはない。このため、端末装置１と利用者１００の手との相対的な角度のずれを低減して、センサ部１６により手のひら１００Ａを安定に撮像できる。
【００５８】
なお、図１０では、操作位置の全ての範囲を含む３本のタッチ場所２２５を夫々連続的にタッチパネル２２上に表示しているが、間欠的に表示しても良い。
【００５９】
（タッチ場所の第２の例）
図１１は、タッチ場所の第２の例を説明する図である。図１１中、（ａ）は利用者１００により操作される端末装置１の平面図を示し、（ｂ）は利用者１００により操作される端末装置１の側面図を示す。図１１中、図１０と同一部分には同一符号を付し、その説明は省略する。図１１に示す例では、制御部は、タッチパネル２２上に、第１の入力を指示する操作位置３２５を各タッチ場所２２５について表示する。この例では、図１１（ａ）に示すように、黒塗りで示す操作位置３２５内に、白抜きの矢印で移動方向を表示する。利用者１００が第１の入力を指示する操作位置３２５をタッチして第１の入力が済むと、図１１（ｂ）に示すように、入力済みのタッチ場所２２５Ａを、濃いハッチングで示すように識別可能に表示する。また、第１の入力が済むと、少なくとも第２の入力を指示する操作位置を含むタッチ場所２２５を薄いハッチングで示すように識別可能に表示する。以下同様にして、利用者１００が第２の入力を指示する操作位置３２５をタッチして第２の入力が済むと、入力済みのタッチ場所２２５Ａを濃いハッチングで示すように識別可能に表示し、少なくとも第３の入力を指示する操作位置を含むタッチ場所２２５を薄いハッチングで示すように識別可能に表示する。なお、説明の便宜上、図１１では、図１０の場合と同様に、操作位置の全ての範囲を含む３本のタッチ場所２２５を示している。
【００６０】
図１１の例では、利用者１００は指先で各タッチ場所２２５の操作位置３２５をガイドとして、指先を操作位置３２５に乗せた状態で各タッチ場所２２５に対して同時にスライド指示を行うことができる。利用者１００の複数の指先が操作位置３２５をガイドとしてタッチパネル２２上を同時にスライドする間、手のひら１００Ａのタッチパネル２２に対する角度は安定しており大きく変化することはない。このため、端末装置１と利用者１００の手との相対的な角度のずれを低減して、センサ部１６により手のひら１００Ａを安定に撮像できる。
【００６１】
図１１において、例えば第１の入力を指示する操作位置へ入力された（即ち、タッチされた）時点から、次の第２の入力を指示する操作位置が表示されて入力可能となる時点までの距離Ｌと時間ΔＴとの間には、センサ部１６の撮像距離Ｖ及びフレームレートｆを用いると次の関係（１）が成立する。ここで、距離Ｌは、利用者１００がタッチパネル２２上で指先をスライド操作する縦方向（図１１中、白抜きの矢印方向）上の距離を表し、撮像距離Ｖは、センサ部１６の撮像範囲１６Ａの縦方向上の距離を表す。
【００６２】
Ｌ／ΔＴ  ＜  Ｖ×ｆ    
Ｌ  ＜  Ｖ×ΔＴ×ｆ                                              ・・・（１）
例えば、センサ部１６の撮像距離Ｖが３０ｍｍであり、撮像間隔が２０ｆｐｓ（frames per second）の場合、理想的には最大６００ｍｍ／秒の速さの手の動きを隙間なく連続して撮像することができる。タッチパネル２２（表示デバイス１５）の画面表示の更新頻度が５０Ｈｚであり、この更新頻度に合わせてタッチパネル２２（表示デバイス１５）上の画面表示を更新する場合、ΔＴ＝１／５０＝０．０２秒であるから、Ｌ＜１２ｍｍとなる。
【００６３】
なお、連続してセンサ部１６が撮像するときの撮像範囲１６Ａが縦方向上で重なり合う範囲をＳで表すと、次の関係（２）が成立する。
【００６４】
Ｌ／ΔＴ  ＜  （Ｖ−Ｓ）×ｆ
Ｌ  ＜  （Ｖ‐Ｓ）×ｆ×ΔＴ                                      ・・・（２）
重なり合う範囲Ｓは、撮像範囲１６Ａが確実に隙間なく連続しているためのマージンである。このため、重なり合う範囲Ｓを考慮して上記の距離Ｌ及び上記の時間ΔＴを設定することで、センサ部１６の位置ずれを考慮した正確な撮像範囲１６Ａを得て、安定した認証精度の生体認証処理が可能となる。
【００６５】
さらに、タッチパネル２２（表示デバイス１５）の画面表示の更新能力が高い場合や、画面表示の更新による処理の負荷を低減する目的で、Ｎ（Ｎは２以上の自然数）回に１回更新するように画面表示の更新を間引く場合には、次の関係（３）が成立する。
【００６６】
Ｌ／（Ｎ×ΔＴ）  ＜  （Ｖ−Ｓ）×ｆ
Ｌ＜（Ｖ‐Ｓ）×ｆ×（Ｎ×ΔＴ）                                  ・・・（３）
従って、制御部は、センサ部１６及びタッチパネル２２（表示デバイス１５）の性能を考慮して、上記の関係（１）乃至（３）のいずれかの関係に基づいて操作位置を含むタッチ場所を決定することで、センサ部１６は撮像対象である利用者１００の手のひら１００Ａを隙間なく連続して撮像することができる。
【００６７】
操作位置を含むタッチ場所が１直線上に並んでいる場合、制御部は、生体情報の信頼度として撮像距離Ｖが占める割合の代わりに、最初に入力された入力済みの操作位置（または、タッチ場所）所からの距離を用いても良い。
【００６８】
（タッチ場所の第３の例）
図１２は、タッチ場所の第３の例を説明する図である。図１２中、（ａ）は利用者１００により操作される端末装置１の平面図を示し、（ｂ）は利用者１００により操作される端末装置１の側面図を示す。図１２中、図１１と同一部分には同一符号を付し、その説明は省略する。図１２に示す例では、図１１の例のように各タッチ場所２２５について別々に操作位置３２５をタッチパネル２２に表示する代わりに、制御部は、複数のタッチ場所２２５について単一の操作位置３２６を共通のガイドとして表示する。単一の操作位置３２６は、バー形状を有する。この場合も、センサ部１６により手のひら１００Ａを安定に撮像できる。
【００６９】
（タッチ場所の第４の例）
図１３は、タッチ場所の第４の例を説明する図である。図１３は、利用者１００により操作される端末装置１の平面図を示す。図１３中、図１０と同一部分には同一符号を付し、その説明は省略する。利用者１００が誤って、本来意図されている指とは異なる指でタッチ場所を操作する可能性がある。そこで、図１３に示す例では、制御部は、タッチ場所２２５に加え、タッチパネル２２に手の形３２７を表示することで、利用者１００にタッチパネル２２をタッチする指を指示する。利用者１００は、表示された手の形３２７に合わせて人差し指、中指、及び薬指をタッチパネル２２上に置いてタッチ場所２２５をなぞれば良いため、利用者１００が本来意図されている指とは異なる指による誤操作を防止できる。この場合も、センサ部１６により手のひら１００Ａを安定に撮像できる。なお、制御部は、手の形３２７の表示は、利用者１００の指先のスライド操作に応じて移動させても良い。
【００７０】
（タッチ場所の第５の例）
図１４は、タッチ場所の第５の例を説明する図である。図１４中、（ａ）は利用者１００により操作される端末装置１の平面図を示し、（ｂ）は利用者１００により操作される端末装置１の側面図を示す。図１４中、図１１と同一部分には同一符号を付し、その説明は省略する。一般的に、人間の中指は他の指より長い。そこで、図１４に示す例では、制御部は、タッチパネル２２上に、第１の入力を指示する操作位置３２８を各タッチ場所２２５について、各指に合わせた縦方向上の位置に表示する。この例では、中央のタッチ場所２２５の操作位置３２８が、両側のタッチ場所２２５の操作位置３２８より上方に配置されている。この場合、利用者１００は、直観的に中央の操作位置３２８が中指に対応していることを理解できるので、本来意図されている指とは異なる指による誤操作を防止できる。また、各タッチ場所２２５の操作位置３２８を、各指の長さに対応した位置に配置することで、利用者１００に自然な指の曲げ方での入力を誘導できる。さらに、各指の長さに応じて曲げられた人差し指、中指、及び薬指によって形成されるタッチパネル２２上の三角形状（または、三点支持）によって、第１の入力が済んでから表示が次の第２の入力を指示する操作位置に更新されてこの第２の入力が済むまでの利用者１００の手の動き及び姿勢を安定化することができる。このように、利用者１００は、自然な手の形及び安定した手の形を維持してタッチパネル２２を操作できるので、指を不自然に曲げた場合のように指先の移動距離と手全体の移動距離とで差異が生じることがない。従って、センサ部１６の拡大撮像範囲１６Ｂが安定化し、再現性が高まるので、安定した認証精度の生体認証処理が可能となる。
【００７１】
（タッチ場所の第６の例）
図１５は、タッチ場所の第６の例を説明する図である。図１５中、（ａ）は利用者１００により操作される端末装置１の平面図を示し、（ｂ）は利用者１００により操作される端末装置１の側面図を示す。図１５中、図１４と同一部分には同一符号を付し、その説明は省略する。図１５に示す例では、図１４の例のように各タッチ場所２２５について別々に操作位置３２８をタッチパネル２２に表示する代わりに、制御部は、複数のタッチ場所２２５について単一の操作位置３２９を共通のガイドとして表示する。単一の操作位置３２９は、この例では各指の長さに応じて「く」の字形状を有する。この場合も、上記第５の例の場合と同様の効果が得られる。
【００７２】
図１１と共に説明したタッチ場所の第２の例及び図１４と共に説明したタッチ場所の第５の例では、タッチ場所２２５が入力済みのタッチ場所２２５Ａを操作している手で隠れてしまい、タッチ場所２２５に合わせた入力が難しくなる場合も想定される。これに対し、図１２と共に説明したタッチ場所の第３の例及び図１５と共に説明したタッチ場所の第６の例のように、制御部がタッチ場所２２５を利用者１００の入力操作に伴って同期して指示すると共に、操作位置３２６，３２９を利用者１００の指と指の間から目視可能なバー形状または「く」の字形状とすることで、タッチ場所２２５に合わせた入力をさらに容易にすることができる。なお、タッチ場所の第３及び第６の例のように、入力操作を行っている指と指との間から視認可能となるよう、３本のタッチ場所２２５を１つに繋ぎ合わせる操作位置３２６，３２９の形状及び表示形式は、特に限定されない。
【００７３】
ところで、図１０乃至図１５と共に説明したタッチ場所の第１乃至第６の例では、複数のタッチ場所に対して、利用者１００が複数の指で入力操作を行うが、一連の入力操作の流れの中では各指による入力がバラバラになりにくい。このため、センサ部１６による撮像開始後に、常に全てのタッチ場所に対して同時に入力操作が行われていなくても良い。複数のタッチ場所に対して同時に入力操作が行われていれば、利用者１００の手の姿勢は最も安定する。しかし、手の姿勢が安定していても、一瞬、１本でも指がタッチパネル２２から浮き上がってしまうと、次のタッチを誘導するタッチ場所が指示されず、手が慣性により次のタッチを誘導するタッチ場所よりも先行してしまい、適切な入力操作が行えなくなる可能性がある。
【００７４】
そこで、タッチ場所の第１乃至第６の例のように３本のタッチ場所が表示される場合には、例えば中央の１本のタッチ場所に対して入力操作が行われていれば、次のタッチを誘導するタッチ場所を３本の全てのタッチ場所について更新しても良い。この場合、３本のタッチ場所の夫々に対する入力操作に応じて次のタッチを誘導するタッチ場所を更新する場合と比較すると、計算量を減らすことができる。他の例としては、３本のタッチ場所のうち例えば左側と右側の２本のタッチ場所に対して入力操作が同時に行われていることを条件に、次のタッチを誘導するタッチ場所を３本の全てのタッチ場所について更新しても良い。
【００７５】
ただし、センサ部１６による撮像開始を１本のタッチ場所に対する入力操作のみに基づいて判定すると、手の姿勢が安定していない状態を許容する可能性がある。このため、センサ部１６による撮像開始の判定は、複数本のタッチ場所に対する入力操作が同時に行われていることを条件にすることが望ましい。タッチ場所の第１乃至第６の例の場合、例えば左側と右側の２本のタッチ場所に対して、利用者１００の人差し指と薬指により同時に入力操作が行われ、中央の１本のタッチ場所に対して入力操作を行う利用者１００の中指の位置は自然と制限されるので、手の姿勢が安定化する。従って、例えば両端の２本のタッチ場所に対する入力操作が同時に行われていることを条件に、センサ部１６による撮像開始を判定しても良い。
【００７６】
（タッチ場所の第７の例）
図１６は、タッチ場所の第７の例を説明する図である。図１６は、利用者１００により操作される端末装置１の平面図を示す。図１６中、図１０と同一部分には同一符号を付し、その説明は省略する。また、図１６中、別のセンサ部１６１などの図示は省略する。この例では、利用者１００が指先で横長の姿勢にある端末装置１を操作する。利用者１００が指先でタッチパネル２２上の入力位置にタッチする際に、利用者１００の手のひら１００Ａを撮像できる、タッチパネル２２と同じ筐体１Ａの上面の位置にセンサ部１６が配置されている。このように、タッチパネル２２とセンサ部１６の位置関係が、操作される姿勢の端末装置１の上下の位置関係だけでなく、左右の位置関係にあっても良い。
【００７７】
図１６に示す例では、制御部は、タッチパネル２２上に、第１の入力を指示する操作位置５２５をタッチ場所４２５について表示する。この例では、図１６に示すように、黒塗りで示す操作位置５２５内に、白抜きの矢印で移動方向を表示する。利用者１００が第１の入力を指示する操作位置５２５をタッチして第１の入力が済むと、図１６に示すように、入力済みのタッチ場所４２５Ａを、濃いハッチングで示すように識別可能に表示する。また、第１の入力が済むと、少なくとも第２の入力を指示する操作位置を含むタッチ場所４２５を薄いハッチングで示すように識別可能に表示する。以下同様にして、利用者１００が第２の入力を指示する操作位置５２５をタッチして第２の入力が済むと、入力済みのタッチ場所４２５Ａを濃いハッチングで示すように識別可能に表示し、少なくとも第３の入力を指示する操作位置を含むタッチ場所４２５を薄いハッチングで示すように識別可能に表示する。この例では、利用者１００は、親指でタッチ場所４２５に対してスライド指示を行う。
【００７８】
タッチパネル２２上に表示するタッチ場所が図１６に示す例のように１つの場合には、利用者１００が手でタッチパネル２２を操作する際に、タッチパネル２２の表面に対する法線方向回りに手が回転する姿勢変動が生じ易い。利用者１００が指先で横長の姿勢にある端末装置１を操作する際も、タッチ場所が１つの場合には、同様に点の姿勢変動が生じ易い。
【００７９】
これに対し、複数のタッチ場所を表示することで、タッチパネル２２の表面に対する法線方向回りに手が回転する姿勢変動を低減して手の姿勢を安定化できる。この結果、センサ部１６の拡大撮像範囲１６Ｂが安定化し、再現性が高まるので、安定した認証精度の生体認証処理が可能となる。
【００８０】
（タッチ場所の第８の例）
図１７は、タッチ場所の第８の例を説明する図である。図１７は、利用者１００により操作される端末装置１の平面図を示す。図１７中、図１６と同一部分には同一符号を付し、その説明は省略する。図１７に示す例では、タッチパネル２２上に、直線状のタッチ場所４２５を２本以上表示する。この例では、横方向に延びるタッチ場所４２５が２本表示される。利用者１００は、指先（この例では親指及び人差し指）で２本のタッチ場所４２５を同時になぞり、センサ部１６はその間撮像範囲１６Ａ内で手のひら１００Ａを撮像する。利用者１００が複数の指先でタッチ場所２２５に対して同時にスライド指示を行う場合、複数の指先がタッチパネル２２上を同時にスライドする間、手のひら１００Ａのタッチパネル２２に対する角度は安定しており大きく変化することはない。このため、端末装置１と利用者１００の手との相対的な角度のずれを低減して、センサ部１６により手のひら１００Ａを安定に撮像できる。
【００８１】
この例では、制御部は、タッチパネル２２上に、第１の入力を指示する操作位置５２５を各タッチ場所４２５について表示する。この例では、図１７に示すように、黒塗りで示す操作位置５２５内に、白抜きの矢印で移動方向を表示する。利用者１００が第１の入力を指示する操作位置５２５をタッチして第１の入力が済むと、図１７に示すように、入力済みのタッチ場所４２５Ａを、濃いハッチングで示すように識別可能に表示する。また、第１の入力が済むと、少なくとも第２の入力を指示する操作位置を含むタッチ場所４２５を薄いハッチングで示すように識別可能に表示する。以下同様にして、利用者１００が第２の入力を指示する操作位置５２５をタッチして第２の入力が済むと、入力済みのタッチ場所４２５Ａを濃いハッチングで示すように識別可能に表示し、少なくとも第３の入力を指示する操作位置を含むタッチ場所４２５を薄いハッチングで示すように識別可能に表示する。なお、説明の便宜上、図１７では、図１０の場合と同様に、操作位置の全ての範囲を含む２本のタッチ場所４２５を示している。
【００８２】
この例では、利用者１００は指先で各タッチ場所４２５の操作位置５２５をガイドとして、指先を操作位置５２５に乗せた状態で各タッチ場所４２５に対して同時にスライド指示を行うことができる。利用者１００の複数の指先が操作位置５２５をガイドとしてタッチパネル２２上を同時にスライドする間、手のひら１００Ａのタッチパネル２２に対する角度は安定しており大きく変化することはない。このため、端末装置１と利用者１００の手との相対的な角度のずれを低減して、センサ部１６により手のひら１００Ａを安定に撮像できる。
【００８３】
なお、第１のタッチ場所は、生体撮像部の撮像対象が、利用者１００の手首側の手のひら１００Ａとなる位置に設定され、第２のタッチ場所は、生体撮像部の撮像対象が、利用者１００の指先側の手のひら１００Ａとなる位置に設定されても良い。また、第１のタッチ場所は、生体撮像部の撮像対象が、利用者１００の指先側の手のひら１００Ａとなる位置に設定され、第２のタッチ場所は、生体撮像部の撮像対象が、利用者１００の手首側の手のひら１００Ａとなる位置に設定されても良い。
【００８４】
（タッチ場所の第９の例）
図１８は、タッチ場所の第９の例を説明する図である。図１８は、利用者１００により操作される端末装置１の平面図を示す。図１８中、図１７と同一部分には同一符号を付し、その説明は省略する。図１８に示す例では、図１７の例のように各タッチ場所４２５について別々に操作位置５２５をタッチパネル２２に表示する代わりに、制御部は、複数のタッチ場所４２５について単一の操作位置５２６を共通のガイドとして表示する。単一の操作位置５２６は、バー形状を有する。この場合も、センサ部１６により手のひら１００Ａを安定に撮像できる。
【００８５】
図１７と共に説明したタッチ場所の第８の例では、タッチ場所４２５が入力済みのタッチ場所４２５Ａを操作している手で隠れてしまい、タッチ場所４２５に合わせた入力が難しくなる場合も想定される。これに対し、図１８と共に説明したタッチ場所の第９の例のように、制御部がタッチ場所４２５を利用者１００の入力操作に伴って同期して指示すると共に、操作位置５２６を利用者１００の指と指の間から目視可能なバー形状とすることで、タッチ場所４２５に合わせた入力をさらに容易にすることができる。なお、タッチ場所の第９の例のように、入力操作を行っている指と指との間から視認可能となるよう、２本のタッチ場所４２５を１つに繋ぎ合わせる操作位置５２６の形状及び表示形式は、特に限定されない。
【００８６】
ところで、図１７及び図１８と共に説明したタッチ場所の第８及び第９の例では、複数のタッチ場所に対して、利用者１００が複数の指で入力操作を行うが、一連の入力操作の流れの中では各指による入力がバラバラになりにくい。このため、センサ部１６による撮像開始後に、常に全てのタッチ場所に対して同時に入力操作が行われていなくても良い。複数のタッチ場所に対して同時に入力操作が行われていれば、利用者１００の手の姿勢は最も安定する。しかし、手の姿勢が安定していても、一瞬、１本でも指がタッチパネル２２から浮き上がってしまうと、次のタッチを誘導するタッチ場所が指示されず、手が慣性により次のタッチを誘導するタッチ場所よりも先行してしまい、適切な入力操作が行えなくなる可能性がある。
【００８７】
そこで、タッチ場所の第８及び第９の例のように２本のタッチ場所が表示される場合には、例えば一方の１本のタッチ場所に対して入力操作が行われていれば、次のタッチを誘導するタッチ場所を２本の全てのタッチ場所について更新しても良い。この場合、２本のタッチ場所の夫々に対する入力操作に応じて次のタッチを誘導するタッチ場所を更新する場合と比較すると、計算量を減らすことができる。
【００８８】
ただし、センサ部１６による撮像開始を１本のタッチ場所に対する入力操作のみに基づいて判定すると、手の姿勢が安定していない状態を許容する可能性がある。このため、センサ部１６による撮像開始の判定は、複数本のタッチ場所に対する入力操作が同時に行われていることを条件にすることが望ましい。
【００８９】
タッチ場所の第１乃至第９の例をタッチパネル２２上に表示する場合の生体撮影処理の流れは、図９と共に説明した生体撮影処理の場合と同様で良い。このとき利用者に対してタッチパネル２２上を指でスライドさせながら操作する動作となるよう誘導することができる。
【００９０】
（タッチ場所の第１０の例）
図１９は、タッチ場所の第１０の例を説明する図である。図１９は、利用者１００により操作される端末装置１の平面図を示す。図１９中、図３と同一部分には同一符号を付し、その説明は省略する。図１９に示す例では、制御部は、タッチパネル２２上の薄いハッチングで示すタッチ場所６２５を、黒塗りで示す入力済みのタッチ場所６２５Ａから所定の距離以上離れた場所に表示する。この例では、タッチパネル２２に合計９個のタッチ場所６２５を表示可能な配置を説明する。タッチ場所の第１乃至第９の例では、利用者１００は指先でタッチ場所に対してスライド指示を行うが、この例では、利用者１００は指先で場所が変更されるタッチ場所を順にタッチする。
【００９１】
図２０は、図１９に示す端末装置の操作状態を説明する図である。図２０（ａ）は、制御部がタッチパネル２２上に９個のタッチ場所６２５を表示した、入力待ち受け状態を示す。この入力待ち受け状態では、利用者１００は指先で９個のタッチ場所６２５を任意にタッチして選ぶことができる。
【００９２】
図２０（ｂ）は、利用者１００が指先で、図２０（ａ）のタッチパネル２２上の左上の第１のタッチ場所６２５をタッチした状態を示す。この状態では、制御部がタッチパネル２２上の左上の第１のタッチ場所６２５Ａを入力済みであることを示すように黒塗りで表示する。
【００９３】
図２０（ｃ）は、入力済みの第１のタッチ場所６２５Ａに対し、利用者１００に指示する第２のタッチ場所の候補６２５Ｂを表示した、次の入力待ち受け状態を示す。この状態では、制御部は、最後に入力済みのタッチ場所（この場合、第１のタッチ場所６２５Ａ）を基準にして、タッチパネル２２上で縦横斜め方向に沿って最も遠いタッチ場所６２５を第２のタッチ場所の候補６２５Ｂとして表示する。この例では、左上の、入力済み第１のタッチ場所６２５Ａに対し、濃いハッチングで示すように５個のタッチ場所６２５が第２のタッチ場所の候補６２５Ｂとして表示される。このように、制御部は、タッチパネル２２上にタッチ済みの第１のタッチ場所６２５を表示した後、第１のタッチ場所６２５Ａから場所が変更された第２のタッチ場所を表示させても良い。
【００９４】
第１のタッチ場所は、生体撮像部の撮像対象が、利用者１００の手首側の手のひら１００Ａとなる位置（例えば、タッチパネル２２上の上の一列）に設定され、第２のタッチ場所は、生体撮像部の撮像対象が、利用者１００の指先側の手のひら１００Ａとなる位置（例えば、タッチパネル２２上の下の一列）に設定されても良い。また、第１のタッチ場所は、生体撮像部の撮像対象が、利用者１００の指先側の手のひら１００Ａとなる位置（例えば、タッチパネル２２上の下の一列）に設定され、第２のタッチ場所は、生体撮像部の撮像対象が、利用者１００の手首側の手のひら１００Ａとなる位置（例えば、タッチパネル２２上の上の一列）に設定されても良い。
【００９５】
次に、図１９に示す端末装置の操作の一例を、図２１と共に説明する。図２１は、図１９に示す端末装置の操作の一例を説明する図である。
【００９６】
図２１（ａ）は、制御部がタッチパネル２２上に９個のタッチ場所６２５を表示した入力待ち受け状態で、利用者１００が指先でタッチパネル２２上の左上の第１のタッチ場所６２５−１をタッチした後、入力済みの第１のタッチ場所６２５−１に対して表示された右上、左下、及び右下の第２のタッチ場所の候補６２５Ｂのうち、利用者１００が指先で右下の第２のタッチ場所６２５−２をタッチした入力状態を示す。
【００９７】
図２１（ｂ）は、図２１（ａ）の入力状態で、利用者１００が指先で左下の第２のタッチ場所６２５−３をタッチした入力状態を示す。図２１（ｃ）は、図２１（ｂ）の入力状態で、利用者１００が指先で右上の第２のタッチ場所６２５−４をタッチした入力状態を示す。
【００９８】
制御部は、左上、右下、左下、右上の４つのタッチ場所６２５−１〜６２５−４が入力済みになると、その間にセンサ部１６が生体認証に用いる撮像範囲を撮像したと判断し、撮像の完了を判定する。
【００９９】
制御部は、入力済みの第１のタッチ場所を基準にして、タッチパネル２２上で縦横斜め方向に沿って最も遠いタッチ場所を第２のタッチ場所の候補として表示する際に、マンハッタン距離、或いは、ユークリッド距離などを用いても良い。また、制御部は、入力済みの第１のタッチ場所を基準にして、タッチパネル２２上で縦横斜め方向に沿って最も近いタッチ場所を第２のタッチ場所の候補として表示しても良い。従って、第２のタッチ場所の候補は、例えば左上、右上、左下、右下のタッチ場所に限定されず、中央の列のタッチ場所、中央の行のタッチ場所などを候補にすることで、センサ部１６は確実に隙間が無く連続して利用者１００の手のひら１００Ａを撮像でき、撮像範囲の信頼性が向上する。このため、高い認証精度が要求される生体認証処理の場合、入力済みの第１のタッチ場所を基準にして、他の全てのタッチ場所を第２のタッチ場所の候補することが望ましい。
【０１００】
さらに、図１９乃至図２１において、各タッチ場所６２５において異なる数字、記号、或いは図形を表示しても良い。各タッチ場所６２５において表示する数字、記号、或いは図形は、図２において登録テンプレートの記憶部３５への登録の都度、または、照合部３４での比較照合の都度、配置を変えることもできる。例えば、利用者１００は登録テンプレートの登録時に入力済みのタッチ場所６２５に表示された数字、記号、或いは図形を記憶しておき、比較照合時に記憶した数字、記号、或いは図形のタッチ場所６２５をタッチして選択することも可能である。
【０１０１】
制御部は、生体情報の信頼度として撮像範囲が占める割合の代わりに、入力済みのタッチ場所の個数を用いることもできる。具体的には、タッチ場所の第１０の例の場合、生体情報の信頼度は、図２１（ｃ）において入力済みのタッチ場所の個数、即ち、４個とすることができる。この場合、タッチパネル２２上に表示された四隅のタッチ場所６２５−１〜６２５−４が入力済みとなり、センサ部１６の撮像範囲１６Ａが拡大撮像範囲１６Ｂに拡大されるため、撮像した生体情報の信頼度が高いと判断する。
【０１０２】
例えば、マンハッタン距離を１として、入力済みの第１のタッチ場所を基準にして、第２のタッチ場所の候補を決定する場合には、隣り合う入力済みの多値場所への入力は、センサ部１６の撮像範囲１６Ａが確実に上下または左右に重複している状態を生体情報の信頼度として扱っても良い。
【０１０３】
タッチ場所の第１０の例をタッチパネル２２上に表示する場合の生体撮影処理の流れは、図９と共に説明した生体撮影処理の場合と同様で良い。このとき利用者に対してタッチパネル２２上を指で順にタッチしながら操作する動作となるよう誘導することができる。
【０１０４】
一実施例によれば、生体撮像部が撮像する撮像範囲が狭い場合においても、表示に従ってタッチ場所を利用者に指で操作させることで、生体撮像部の画角より広範囲の生体画像を撮像できる。また、生体撮像部により生体認証に用いる生体画像の範囲を確実に撮像できるように、利用者に表示に従ったタッチ場所の操作を誘導できる。これにより、利用者に簡単な操作を行わせることで、生体認証に用いる生体画像を撮像可能な撮像範囲を生体撮像部により安定して撮像することができ、信頼度の高い生体情報を得ることが可能となる。さらに、信頼度の高い生体情報を用いることで、生体認証処理の認証精度を向上することができる。
【０１０５】
以上の実施例を含む実施形態に関し、更に以下の付記を開示する。
（付記１）
操作部への入力を検出する検出部と、
前記検出部による第１の入力の検出に応じて、前記操作部における操作位置の指示を出力させる制御部と、
前記第１の入力の検出後に生体画像を撮像する生体撮像部と、
を備えたことを特徴とする、生体撮影装置。
（付記２）
前記制御部は、検出した前記第１の入力の位置に応じて、前記操作位置を設定することを特徴とする、付記１記載の生体撮影装置。
（付記３）
前記制御部は、記憶部に記憶した位置に前記操作位置を設定することを特徴とする、付記１または２記載の生体撮影装置。
（付記４）
タッチパネルと、
前記タッチパネルの周辺に設けられ、生体画像を撮像する生体撮像部と、
前記タッチパネルに第１のタッチ場所の表示後、前記第１のタッチ場所から場所が変更された第２のタッチ場所の表示をさせる制御部と、
を備えたことを特徴とする、生体撮影装置。
（付記５）
前記第１のタッチ場所は、前記生体撮像部の撮像対象が、手首側の手のひらとなる位置に設定され、
前記第２のタッチ場所は、前記生体撮像部の撮像対象が、指先側の手のひらとなる位置に設定された
ことを特徴とする、付記４記載の生体撮影装置。
（付記６）
前記第１のタッチ場所は、前記生体撮像部の撮像対象が、指先側の手のひらとなる位置に設定され、
前記第２のタッチ場所は、前記生体撮像部の撮像対象が、手首側の手のひらとなる位置に設定された
ことを特徴とする、付記４記載の生体撮影装置。
（付記７）
前記制御部は、
前記第１のタッチ場所へのタッチの検知に応じて前記生体撮像部に第１の生体画像を撮像させ、
前記第２のタッチ場所へのタッチの検知に応じて前記生体撮像部に第２の生体画像を撮像させる
ことを特徴とする、付記４記載の生体撮影装置。
（付記８）
タッチパネルと、
前記タッチパネルの周辺に設けられた生体撮像部と、
前記タッチパネルにタッチ場所の移動指示の表示をさせる制御部と、
を備えたことを特徴とする、生体撮影装置。
（付記９）
前記移動指示は、移動ルートの前記タッチパネルへの表示であることを特徴とする、付記８記載の生体撮影装置。
（付記１０）
前記移動指示は、２本以上の指先のスライド指示であることを特徴とする、付記８記載の生体撮影装置。
（付記１１）
前記制御部は、
前記タッチパネルに表示される複数本のタッチ場所のうち少なくとも１本のタッチ場所に対して入力操作が行われていることを条件に、次のタッチを誘導するタッチ場所を前記複数本の全てのタッチ場所について更新し、
前記複数本のうち２本以上のタッチ場所に対する入力操作が同時に行われていることを条件に、前記生体撮像部による撮像開始を判定することを特徴とする、付記１０記載の生体撮影装置。
（付記１２）
前記移動指示は、直線状、Ｚ字状、矩形状、円または楕円形状、及び三角形状のうち、少なくとも１つであることを特徴とする、付記８記載の生体撮影装置。
（付記１３）
検出部が操作部への入力を検出し、
前記検出部による第１の入力の検出に応じて、制御部が前記操作部における操作位置の指示を出力させ、
生体撮像部が前記第１の入力の検出後に生体画像を撮像する、
ことを特徴とする、生体撮影方法。
（付記１４）
前記制御部が、検出した前記第１の入力の位置に応じて、前記操作位置を設定することを特徴とする、付記１３記載の生体撮影方法。
（付記１５）
コンピュータが、
タッチパネルに第１のタッチ場所の表示をさせ、
前記タッチパネルに前記第１のタッチ場所の表示後、前記第１のタッチ場所から場所が変更された第２のタッチ場所の表示をさせ、
前記第１のタッチ場所へのタッチの検知に応じて前記タッチパネルの周辺に設けられた生体撮像部に第１の生体画像を撮像させ、
前記第２のタッチ場所へのタッチの検知に応じて前記生体撮像部に第２の生体画像を撮像させる、
ことを特徴とする、生体撮影方法。
（付記１６）
前記コンピュータが、
前記タッチパネルにタッチ場所の移動指示の表示をさせる、
ことを特徴とする、付記１５記載の生体撮影方法。
（付記１７）
前記移動指示は、２本以上の指先のスライド指示であり、
前記コンピュータが、
前記タッチパネルに表示される複数本のタッチ場所のうち少なくとも１本のタッチ場所に対して入力操作が行われていることを条件に、次のタッチを誘導するタッチ場所を前記複数本の全てのタッチ場所について更新し、
前記複数本のうち２本以上のタッチ場所に対する入力操作が同時に行われていることを条件に、前記生体撮像部による撮像開始を判定することを特徴とする、付記１５または１６記載の生体撮影方法。
（付記１８）
検出部に操作部への入力を検出させ、
前記検出部による第１の入力の検出に応じて、前記操作部における操作位置の指示を出力させ、
生体撮像部に前記第１の入力の検出後に生体画像を撮像させる、
処理をコンピュータに実行させることを特徴とする、生体撮影プログラム。
（付記１９）
検出した前記第１の入力の位置に応じて、前記操作位置を設定させる処理を前記コンピュータにさらに実行させることを特徴とする、付記１８記載の生体撮影プログラム。
（付記２０）
タッチパネルに第１のタッチ場所の表示をさせ、
前記タッチパネルに前記第１のタッチ場所の表示後、前記第１のタッチ場所から場所が変更された第２のタッチ場所の表示をさせ、
前記第１のタッチ場所へのタッチの検知に応じて前記タッチパネルの周辺に設けられた生体撮像部に第１の生体画像を撮像させ、
前記第２のタッチ場所へのタッチの検知に応じて前記生体撮像部に第２の生体画像を撮像させる、
処理をコンピュータに実行させることを特徴とする、生体撮影プログラム。
（付記２１）
前記タッチパネルにタッチ場所の移動指示の表示をさせる、
処理を前記コンピュータにさらに実行させることを特徴とする、付記２０記載の生体撮影プログラム。
（付記２２）
前記移動指示は、２本以上の指先のスライド指示であり、
前記タッチパネルに表示される複数本のタッチ場所のうち少なくとも１本のタッチ場所に対して入力操作が行われていることを条件に、次のタッチを誘導するタッチ場所を前記複数本の全てのタッチ場所について更新し、
前記複数本のうち２本以上のタッチ場所に対する入力操作が同時に行われていることを条件に、前記生体撮像部による撮像開始を判定することを特徴とする、付記２０または２１記載の生体撮影プログラム。
【０１０６】
以上、開示の生体撮影装置、生体撮影方法及び生体撮影プログラムを実施例により説明したが、本発明は上記実施例に限定されるものではなく、本発明の範囲内で種々の変形及び改良が可能であることは言うまでもない。
【符号の説明】
【０１０７】
１      端末装置
１１      ＣＰＵ
１２      ＲＯＭ
１３      ＲＡＭ
１４      入力デバイス
１５      表示デバイス
１６      センサ部
１６Ａ      撮像範囲
１６Ｂ      拡大撮像範囲
２１，３５      記憶部
２２      タッチパネル
３１      生体認証装置
３２      生体撮像部
３３      特徴抽出部
３４      照合部
３６      判定部
２２１      入力範囲
２２２〜２２５，４２５      タッチ場所
【図１】
0006657593.tif 000002
【図２】
0006657593.tif 000003
【図３】
0006657593.tif 000004
【図４】
0006657593.tif 000005
【図５】
0006657593.tif 000006
【図６】
0006657593.tif 000007
【図７】
0006657593.tif 000008
【図８】
0006657593.tif 000009
【図９】
0006657593.tif 000010
【図１０】
0006657593.tif 000011
【図１１】
0006657593.tif 000012
【図１２】
0006657593.tif 000013
【図１３】
0006657593.tif 000014
【図１４】
0006657593.tif 000015
【図１５】
0006657593.tif 000016
【図１６】
0006657593.tif 000017
【図１７】
0006657593.tif 000018
【図１８】
0006657593.tif 000019
【図１９】
0006657593.tif 000020
【図２０】
0006657593.tif 000021
【図２１】
0006657593.tif 000022